(57)【要約】      （修正有）【課題】主紙管及び副紙管を含む伸縮式紙ストローを提供する。【解決手段】主紙管１は第１縮径部１５を含み、副紙管２は、主紙管に移動可能に挿設され、第２縮径部２３を含み、副紙管は、突出方向に沿って移動して主紙管から突出可能であり、副紙管が所定の位置まで持続的に移動する時、第１縮径部は第２縮径部を締め付けて受け止め、副紙管が突出方向に沿って移動し続けないようにする。【選択図】図３
0003230285.tif 000002
【実用新案登録請求の範囲】
【請求項１】
第１管部、第２管部及び第１縮径部を含み、前記第１管部の外管径が前記第２管部の外管径よりも大きく、前記第１縮径部が前記第１管部と前記第２管部との間に接続され、且つ前記第１縮径部が前記第１管部から前記第２管部に向かって縮径する主紙管と、
前記主紙管に移動可能に挿設され、第３管部、第４管部及び第２縮径部を含み、前記第３管部の外管径が前記第４管部の外管径よりも大きく、前記第２縮径部が前記第３管部と前記第４管部との間に接続され、且つ前記第２縮径部が前記第３管部から前記第４管部に向かって縮径し、前記第３管部の外管径が前記第１管部の内管径以下であり、前記第４管部の外管径が前記第２管部の内管径以下である副紙管と、を含み、
前記副紙管は、前記第２管部から突出した前記第４管部の突出長さを増加させるように、突出方向に沿って移動可能であり、前記副紙管が所定の位置まで持続的に移動する時、前記第１縮径部は、前記第２縮径部を締め付けて受け止め、前記副紙管が前記突出方向に沿って移動し続けないようにする、伸縮式紙ストロー。
【請求項２】
前記第２管部の前記第１管部の開口から離れた箇所には絞り部が設けられ、前記突出方向と反対方向において、前記絞り部は前記第１管部の内部に突出し、前記副紙管が前記突出方向と反対方向に沿って移動して前記主紙管から抜けることを受け止めることに用いられる、請求項１に記載の伸縮式紙ストロー。
【請求項３】
前記主紙管は、前記第１管部の内壁に突出する少なくとも１つのストッパユニットをさらに含み、前記副紙管が前記第２管部から突出していない場合、前記少なくとも１つのストッパユニットは前記第３管部に押し付けられ、前記副紙管が前記所定の位置に位置して前記第２管部から突出している場合、前記少なくとも１つのストッパユニットは、前記突出方向と反対方向において前記副紙管を受け止め、前記副紙管が前記主紙管に引き込むことを防止する、請求項１に記載の伸縮式紙ストロー。
【請求項４】
前記少なくとも１つのストッパユニットの数が２つであり、２つの前記ストッパユニットは対向して配置される、請求項３に記載の伸縮式紙ストロー。
【請求項５】
前記ストッパユニットは、ストッパ部及び接続部を含み、前記ストッパ部が前記第１管部の外面に凹設されて前記副紙管を当接可能であり、前記接続部の一端は前記ストッパ部に接続され、前記接続部の他端は前記第１管部の外面に当接する、請求項３に記載の伸縮式紙ストロー。
【請求項６】
前記ストッパ部の一端は前記第１管部に接続され、前記ストッパ部の他端は自由端であり、前記ストッパ部が選択可能に揺動するようにし、前記接続部は、それぞれ前記ストッパ部の他端及び前記第１管部の外面に接続され、前記ストッパ部の他端を遮断することに用いられる、請求項５に記載の伸縮式紙ストロー。
【請求項７】
前記接続部の外面には、間隔を置いて配置された複数の溝が凹設されている、請求項６に記載の伸縮式紙ストロー。
【請求項８】
前記主紙管は、第１紙層、第２紙層及び第３紙層を含み、前記第１紙層、前記第２紙層及び前記第３紙層は、配列方向において所定の間隔だけ順次ずらして交互に重なり合って紙基体となり、前記紙基体は、螺旋状に巻き付ける方式で前記主紙管を形成する、請求項１〜７のいずれか１項に記載の伸縮式紙ストロー。
【請求項９】
前記第３紙層は、前記配列方向において前記第２紙層から突出した部分に切り欠き部が設けられ、且つ螺旋状に巻き付けられた前記切り欠き部は前記第１紙層により覆われて前記主紙管の外面に露出しない、請求項８に記載の伸縮式紙ストロー。
【請求項１０】
前記第２管部の前記第１管部の開口から離れた箇所には絞り部が設けられ、前記突出方向と反対方向において、前記絞り部は前記第１管部の内部に突出し、前記副紙管が前記突出方向と反対方向に沿って移動して前記主紙管から抜けることを受け止めることに用いられ、
前記少なくとも１つのストッパユニットの数が２つであり、２つの前記ストッパユニットは対向して配置され、
前記主紙管は、第１紙層、第２紙層及び第３紙層を含み、前記第１紙層、前記第２紙層及び前記第３紙層は、配列方向において所定の間隔だけ順次ずらして交互に重なり合って紙基体となり、前記紙基体は、螺旋状に巻き付ける方式で前記主紙管を形成し、
前記第３紙層は、前記配列方向において前記第２紙層から突出した部分に切り欠き部が設けられ、且つ螺旋状に巻き付けられた前記切り欠き部は前記第１紙層により覆われて前記主紙管の外面に露出せず、
前記第１紙層の色は前記第２紙層及び前記第３紙層の色と異なり、前記第２紙層の色は前記第３紙層の色と同様であり、前記第１紙層の厚度は前記第２紙層の厚さ及び前記第３紙層の厚さよりも小さく、
前記第１紙層の形状、前記第２紙層の形状及び前記第３紙層の形状は、それぞれ平行四辺形であり、螺旋状に巻き付けられた前記第２紙層と前記第３紙層は前記第１紙層により完全に覆われており、前記第１紙層は前記主紙管の色層となり、前記第２紙層と前記第３紙層は前記主紙管の内部層を形成し、
前記突出方向において、前記ストッパユニットから前記第１縮径部までの間隔は、前記ストッパユニットから前記絞り部までの間隔よりも小さく、
前記第１縮径部及び前記第２縮径部は、それぞれ円錐筒状をなす、請求項７に記載の伸縮式紙ストロー。
【考案の詳細な説明】
【技術分野】
【０００１】
本考案は、ストローに関し、特に伸縮式紙ストローに関する。
【背景技術】
【０００２】
アジアでは、茶飲料は非常に人気があるものであり、日常生活では、ほとんどの人がハンドシェイクドリンクを飲み、これは、プラスチックストローの使用量が膨大になることを意味し、さらに、使用済みのプラスチックストローは、通常、そのまま捨てられて再利用されることがないため、大量の廃棄プラスチック管が発生し、プラスチックが分解しにくく、順調に回収できないため、現在、環境に重大な被害をもたらす。
【０００３】
近年、環境保全の意識が高まるに伴い、政府や事業者をはじめ、プラスチックの使用量を減少させ、中国人が習慣を変えて、プラスチックストローの使用を停止し、地球の環境を保護することが期待される。しかしながら、長期間に亘って使用するため、ストローをもって飲料を飲むという習慣はすべて人々の生活の習慣となっており、さらに、ストローにはそれなりの利便性を有し、ストローを使用しないことが困難である。
【０００４】
したがって、業界は、ステンレス鋼ストロー、ガラスストローやゴムストローを使用することがあるものの、ステンレス鋼材質は、ストロー全体の重量が高すぎ、製造コストが高く、内部の汚れを視認してクリーニングするのが難しい。ガラスストローは、内部の汚れを視認できて簡単にクリーニングに有利であるが、外力による衝撃力に弱く、非常に破砕しやすく使用者を傷つける。一方、ゴムストローは、柔軟性に優れ、簡便に収納できるが、味を吸着して自体にさまざまな飲料の味を付けることが発生しやすい。さらに、上記のいずれのストローも、長さが一定であるので、消費者のニーズに応じて長さを調整することができず、非使用時の収納も困難であり、したがって、上記問題を解決するために、新規で進歩性のある伸縮式紙ストローを提供することが必要である。
【考案の概要】
【考案が解決しようとする課題】
【０００５】
本考案の主な目的は、未使用収納時、占める長さを効果的に減少させるとともに、使用する時に必要に応じて長さを調整でき、さらに、環境を保全し、プラスチックの使用を低減させ、紙資源を回収して再利用するという効果もある伸縮式紙ストローを提供することである。
【課題を解決するための手段】
【０００６】
上記目的を達成させるために、本考案は、伸縮式紙ストローを提供し、前記伸縮式紙ストローは、主紙管及び副紙管を含む。該主紙管は、第１管部、第２管部及び第１縮径部を含み、該第１管部の外管径は該第２管部の外管径よりも大きく、該第１縮径部は該第１管部と該第２管部との間に接続され、且つ該第１縮径部は該第１管部から該第２管部に向かって縮径し、該副紙管は、該主紙管に移動可能に挿設され、第３管部、第４管部及び第２縮径部を含み、該第３管部の外管径は該第４管部の外管径よりも大きく、該第２縮径部は該第３管部と該第４管部との間に接続され、且つ該第２縮径部は該第３管部から該第４管部に向かって縮径し、該第３管部の外管径は該第１管部の内管径以下であり、該第４管部の外管径は該第２管部の内管径以下であり、該副紙管は、該第２管部から突出した該第４管部の突出長さを増加させるように、突出方向に沿って移動可能であり、該副紙管が所定の位置まで持続的に移動する時、該第１縮径部は、該第２縮径部を締め付けて受け止め、該副紙管が該突出方向に沿って移動し続けないようにする。
【図面の簡単な説明】
【０００７】
【図１】本考案の実施例の斜視図である。
【図２】図１の分解図である。
【図３】図１の断面図である。
【図４】図３の部分拡大図である。
【図５】本考案の実施例の紙基体の模式図である。
【図６】図５の側面拡大図である。
【考案を実施するための形態】
【０００８】
以下、本考案の可能な実施形態を実施例を用いて説明するが、本考案の保護範囲を制限するものではないことを事前に説明する。
【０００９】
図１〜図６には、本考案の一実施例が示されており、本考案の伸縮式紙ストローは、主紙管１及び副紙管２を含む。
【００１０】
該主紙管１は、第１管部１１、第２管部１２及び第１縮径部１５を含み、該第１管部１１の外管径は該第２管部１２の外管径よりも大きく、該第１縮径部１５は該第１管部１１と該第２管部１２との間に接続され、該第１縮径部１５は、該第１管部１１から該第２管部１２に向かって縮径する。
【００１１】
該副紙管２は、該主紙管１に移動可能に挿設され、第３管部２１、第４管部２２及び第２縮径部２３を含み、該第３管部２１の外管径は該第４管部２２の外管径よりも大きく、該第２縮径部２３は該第３管部２１と該第４管部２２との間に接続され、且つ該第２縮径部２３は該第３管部２１から該第４管部２２に向かって縮径し、該第３管部２１の外管径は該第１管部１１の内管径以下であり、該第４管部２２の外管径は該第２管部１２の内管径以下であり、ここで、該副紙管２は、、該第２管部１２から突出した該第４管部２２の突出長さを増加させるように、突出方向４に沿って移動可能であり、且つ該副紙管２が所定の位置まで持続的に移動する時、該第１縮径部１５は、該第２縮径部２３を締め付けて受け止め、該副紙管２が該突出方向４に沿って移動し続けないようにする。
【００１２】
より具体的には、該第１縮径部１５及び該第２縮径部２３は、それぞれ円錐筒状をなし、縮径部の構造であり、該副紙管２が該突出方向４に沿って移動し、さまざまな対応する止めるための作用力を発生させるとともに、締め付ける効果を果たし、それにより、該副紙管２と該主紙管１との両方の間の位置決め効果を大幅に向上させ、なお、該第２管部１２から突出した該第４管部２２の突出量が多くなるに伴い、該第１縮径部１５による締め付け作用力が大きくなる。
【００１３】
好ましくは、製造過程において、該副紙管２が該主紙管１に挿設された後、該第１管部１１の該第２管部１２の開口から離れた箇所には絞り部１３が設けられ、該突出方向４と反対方向において、該絞り部１３は該第１管部１１の内部に突出し、該副紙管２が該突出方向４と反対方向に沿って移動して該主紙管１から抜けることを受け止める。言い換えれば、該主紙管１は、該絞り部１３及び該第１縮径部１５の嵌合により、該副紙管２を確実に位置規制して該副紙管２の抜けを回避することができる。
【００１４】
また、好ましくは、該主紙管１は、該第１管部１１の内壁に突出する少なくとも１つのストッパユニット１４をさらに含む。ここで、該副紙管２が該第２管部１２から突出していない時、該少なくとも１つのストッパユニット１４は、該第３管部２１に押し付けられて該副紙管２に側方向の支持力を与え、該副紙管２の安定性を高め、該副紙管２が予期しない以外の外力を受けて任意に移動しないようにし、そして、該副紙管２が該所定の位置に位置して該第２管部１２から突出している時、該少なくとも１つのストッパユニット１４は、該副紙管２に該突出方向４に支持力を提供し、使用者が該副紙管２をもって物体を通り抜ける時（例えば飲料カップのシールフィルム）、該副紙管２の該主紙管１への引き込みを効果的に防止できる。
【００１５】
本実施例では、該少なくとも１つのストッパユニット１４の数が２つであり、２つの該ストッパユニット１４は、該副紙管２に作用力を安定的に提供するように、対向して配置され、そして、該突出方向４において、該ストッパユニット１４から該第１縮径部１５までの間隔は、該ストッパユニット１４から該絞り部１３までの間隔よりも小さい。
【００１６】
具体的には、該ストッパユニット１４は、ストッパ部１４１及び接続部１４２を含み、該ストッパ部１４１は、該第１管部１１の外面に凹設されて該副紙管２を当接可能であり、該接続部１４２の一端は該ストッパ部１４１に接続され、該接続部１４２の他端は該第１管部１１の外面に当接し、それにより、該第１管部１１の内部への該ストッパ部１４１の突出量が制御され、該ストッパ部１４１が過度に移動することを回避する。
【００１７】
より具体的には、該ストッパ部１４１の一端は該第１管部１１に接続され、該ストッパ部１４１の他端は自由端であり、それにより、該ストッパ部１４１が選択可能に揺動するようにし、該接続部１４２は、それぞれ該ストッパ部１４１の他端及び該第１管部１１の外面に接続され、該接続部１４２は、牽引により該ストッパ部１４１の枢動を制御できることに加えて、該ストッパ部１４１の他端を遮蔽することで吸入中に空気が流入したり、流体が流出したりすることを回避できる。
【００１８】
好ましくは、該接続部１４２の外面には、間隔を置いて配置された複数の溝１４３が凹設されており、それにより、制御者の指との接触面積を効果的に増大し、制御能力を向上させることができる。
【００１９】
特に、該主紙管１は、第１紙層３１、第２紙層３２及び第３紙層３３を含み、該第１紙層３１の形状、該第２紙層３２の形状及び該第３紙層３３の形状は、それぞれ平行四辺形である。該第１紙層３１、該第２紙層３２及び該第３紙層３３は、配列方向５において所定の間隔６だけ順次ずらして交互に重なり合って紙基体３４となり、該紙基体３４は、螺旋状に巻き付ける方式で該主紙管１を形成し、また、該第１紙層３１、該第２紙層３２及び該第３紙層３３は、巻き付ける間に層ごとに積層され、それにより、極めて強固な構造を有する。
【００２０】
詳しくは、該第３紙層３３は、該配列方向５において該第２紙層３２から突出した部分に切り欠き部３３１が設けられ、且つ螺旋状に巻き付けられた該切り欠き部３３１は該第１紙層３１により覆われて該主紙管１の外面に露出せず、それにより、巻き付けられた該主紙管１に面一の切断口を有することを確保する。
【００２１】
より詳しくは、該第１紙層３１の厚さは、該第２紙層３２の厚さ及び該第３紙層３３の厚さよりも小さく、そして、螺旋状に巻き付けられた該第２紙層３２と該第３紙層３３は、該第１紙層３１により完全に覆われており、ここで、該第１紙層３１は該主紙管１の色層となり、該第２紙層３２と該第３紙層３３は該主紙管１の内部層を形成する。本実施例では、該第１紙層３１の色は、該第２紙層３２の色及び該第３紙層３３の色と異なり、該第２紙層３２の色は該第３紙層３３の色と同様である。
【００２２】
以上のように、本考案の伸縮式紙ストローは、プラスチックの使用を低減させて環境を保全するという前提の下で、紙を用いてストローを製造するものであり、且つ３層の紙を交互に積層して螺旋状に巻き付けてなり、環境にやさしく、構造が強固であるという利点がある。さらに、主紙管と副紙管との配置により伸縮の効果を達成し、ここで、縮径した縮径部により抜け止めの目的を達成する。
【符号の説明】
【００２３】
１    主紙管
１１    第１管部
１２    第２管部
１３    絞り部
１４    ストッパユニット
１４１    ストッパ部
１４２    接続部
１４３    溝
１５    第１縮径部
２    副紙管
２１    第３管部
２２    第４管部
２３    第２縮径部
３１    第１紙層
３２    第２紙層
３３    第３紙層
３３１    切り欠き部
３４    紙基体
４    突出方向
５    配列方向
６    所定の間隔
【図１】
0003230285.tif 000003
【図２】
0003230285.tif 000004
【図３】
0003230285.tif 000005
【図４】
0003230285.tif 000006
【図５】
0003230285.tif 000007
【図６】
0003230285.tif 000008